(57)【要約】      （修正有）【課題】肌の水分量を測定するために肌の水分量の値測定付き化粧瓶を提供する。【解決手段】肌の水分量の値測定付き化粧瓶は肌測定部１０１、キャップ１０２及び肌水分補給部１０３を備え、前記肌測定部１０１は、第１接点、第２接点及び測定回路を備え、前記第１接点と第２接点とは、測定回路に接続され、測定回路により肌の水分量の値を測定し、肌測定部１０１は、キャップ１０２又は肌水分補給部１０３に接続されている。この化粧瓶により、消費者は自分の肌の水分量の状況をより直感的に知ることができ、タイムリーに肌に水分を補給し、自分の肌の水分量の状況をより知ることができ、肌に水分をより科学的、合理的に補給することができる。【選択図】図７
0003203912.tif 000002
【実用新案登録請求の範囲】
【請求項１】
肌測定部（１０１）、キャップ（１０２）及び肌水分補給部（１０３）を備え、
前記肌測定部（１０１）は、第１接点（１０４）、第２接点（１０５）及び測定回路を備え、
前記第１接点（１０４）と第２接点（１０５）とは、測定回路に接続され、
測定回路により肌の水分量の値を測定し、
肌測定部（１０１）は、キャップ（１０２）又は肌水分補給部（１０３）に接続されていることを特徴とする肌の水分量の値測定付き化粧瓶。
【請求項２】
肌測定部（１０１）は、ねじ込み又はスナップフィットによりキャップ（１０２）に接続され、
キャップ（１０２）は、スナップフィットにより肌水分補給部（１０３）に接続され、
キャップ（１０２）は、肌測定部（１０１）と肌水分補給部（１０３）の中間にあることを特徴とする請求項１に記載の肌の水分量の値測定付き化粧瓶。
【請求項３】
肌測定部（１０１）は、ねじ込み又はスナップフィットにより肌水分補給部（１０３）に接続され、
肌水分補給部（１０３）は、スナップフィットによりキャップ（１０２）に接続され、
肌水分補給部（１０３）は、肌測定部（１０１）とキャップ（１０２）の中間にあることを特徴とする請求項１に記載の肌の水分量の値測定付き化粧瓶。
【請求項４】
肌測定部（１０１）は、ねじ込み又はスナップフィットによりキャップ（１０２）に接続され、
肌水分補給部（１０３）は、スナップフィットにより肌測定部（１０１）に接続され、
肌測定部（１０１）は、キャップ（１０２）と肌水分補給部（１０３）の中間にあることを特徴とする請求項１に記載の肌の水分量の値測定付き化粧瓶。
【考案の詳細な説明】
【技術分野】
【０００１】
本考案は、測定技術、特に、肌の水分量の測定に関する。
【背景技術】
【０００２】
従来の化粧品は、肌に水分を補給するためにのみ使用されることができる。化粧品を介して、肌の水分量を知ることができないため、肌を科学的、合理的に保湿することができない。
【考案の概要】
【考案が解決しようとする課題】
【０００３】
従来、人々は、化粧品を介して肌の水分量を知ることができないため、肌を科学的、合理的に保湿することができない。
【０００４】
本考案は、上記事情に鑑みなされたもので、消費者は、自分の肌の水分量の状況をより直感的に知ることができ、タイムリーに肌に水分を補給し、自分の肌の水分量の状況をより知ることができ、肌に水分をより科学的、合理的に補給することができるために肌の水分量の値測定付き化粧瓶を提供することを目的とする。
【課題を解決するための手段】
【０００５】
上述した課題を解決し目的を達成するために、本考案に係わる肌の水分量の値測定付き化粧瓶は肌測定部（１０１）、キャップ（１０２）及び肌水分補給部（１０３）を備え、前記肌測定部（１０１）は、第１接点（１０４）、第２接点（１０５）及び測定回路を備え、前記第１接点（１０４）と第２接点（１０５）とは、測定回路に接続され、測定回路により肌の水分量の値を測定し、肌測定部（１０１）は、キャップ（１０２）又は肌水分補給部（１０３）に接続されていることを特徴としている。
【０００６】
また、本考案に係わる肌の水分量の値測定付き化粧瓶は、請求項２の記載によれば、肌測定部（１０１）は、ねじ込み又はスナップフィットによりキャップ（１０２）に接続され、キャップ（１０２）は、スナップフィットにより肌水分補給部（１０３）に接続され、キャップ（１０２）は、肌測定部（１０１）と肌水分補給部（１０３）の中間にあることを特徴としている。
【０００７】
また、本考案肌の水分量の値測定付き化粧瓶は、請求項３の記載によれば、肌測定部（１０１）は、ねじ込み又はスナップフィットにより肌水分補給部（１０３）に接続され、肌水分補給部（１０３）は、スナップフィットによりキャップ（１０２）に接続され、肌水分補給部（１０３）は、肌測定部（１０１）とキャップ（１０２）の中間にあることを特徴としている。
【０００８】
また、本考案に係わる肌の水分量の値測定付き化粧瓶は、請求項４の記載によれば、肌測定部（１０１）は、ねじ込み又はスナップフィットによりキャップ（１０２）に接続され、肌水分補給部（１０３）は、スナップフィットにより肌測定部（１０１）に接続され、肌測定部（１０１）は、キャップ（１０２）と肌水分補給部（１０３）の中間にあることを特徴としている。
【考案の効果】
【０００９】
以上説明したように、本考案によれば、消費者は、自分の肌の水分量の状況をより直感的に知ることができ、タイムリーに肌に水分を補給する。そして、自分の肌の水分量の状況をより知ることができ、肌に水分をより科学的、合理的に補給することができる。これにより、化粧品は肌をよりインテリジェントに保湿することができる。
【図面の簡単な説明】
【００１０】
【図１】本考案における人体肌の水分量測定システムの構成図である。
【図２】本考案における回路の構成図である。
【図３】本考案におけるブルートゥースＭＣＵ制御ユニットの構成図である。
【図４】本考案におけるブルートゥースアンテナインピーダンス整合ユニットの構成図である。
【図５】本考案における正弦波信号送信ユニットの構成図である。
【図６】本考案におけるＲＣ積分及びダイオード整流ユニットの構成図である。
【図７】本考案における肌の水分量の値測定付き化粧瓶の第１の実施の形態を示す図である。
【図８】本考案における肌の水分量の値測定付き化粧瓶の第２の実施の形態を示す図である。
【図９】本考案における肌の水分量の値測定付き化粧瓶の第３の実施の形態を示す図である。
【図１０】本考案における肌の水分量の値測定付き化粧瓶の肌測定部の構成図である。
【考案を実施するための形態】
【００１１】
以下、本考案の形態について図面を参照しながら具体的に説明する。
【００１２】
本考案を実施するための形態１
図７〜図９に示すように、本考案における製品は、主に、三つの部分を備える。図１に示すように、１０１は肌測定部であり、１０２はキャップであり、１０３は肌水分補給部である。
【００１３】
肌測定部は、肌を測定する時に肌の水分量を測定するために使用される。そして、ブルートゥース（登録商標）により携帯電話ＡＰＰに接続されて、肌の水分量を知る。これを参考に、肌に水分を補給する。
【００１４】
肌を測定する時又は肌に水分を補給する時に、キャップを開ける。
【００１５】
肌水分補給部は、肌の水分量を測定した後、ＡＰＰ上の視覚化したデータを参考に、タイムリーに肌に水分を補給するために使用される。従って、肌を科学的、合理的に保湿することができる。
【００１６】
図１０は本考案における肌の水分量の値測定付き化粧瓶の肌測定部の構成図である。この肌測定部は、肌の水分量を測定することが必要とされる時に、第１接点１０４と第２接点１０６との二つの金物接点を肌の表面に接触することにより、肌の水分量を測定する。その測定原理は、二つの接点により肌の「インピーダンス値」を測定する。従って、測定された肌の水分量を百分率で携帯電話ＡＰＰに示す。
【００１７】
本考案における肌測定部は、以下の方案又は他の公知の方案で実現してもよい。
【００１８】
図１〜図６に示すように、人体肌の水分量測定システムは、ブルートゥースＭＣＵ制御ユニット、ブルートゥースアンテナインピーダンス整合ユニット、ＲＣ積分及びダイオード整流ユニット、正弦波信号送信ユニット、第１接点Ｓｋｉｎ１及び第２接点Ｓｋｉｎ２を備える。正弦波信号送信ユニットは、ブルートゥースＭＣＵ制御ユニットから送信された高い周波数の正弦波信号の方形波を第１接点Ｓｋｉｎ１に送信する。電流は、皮膚を通じて第２接点Ｓｋｉｎ１を介してブルートゥースＭＣＵ制御ユニットに戻る。このとき、正弦波信号に変更があった。正弦波信号は、ＲＣ積分及びダイオード整流ユニットを介して信号フィルタおよび整形処理され、ブルートゥースＭＣＵ制御ユニットによりサンプリングされる。その後、サンプリングされた信号を量子化し、信号量の大きさを得る。その信号量の大きさは、ブルートゥースアンテナインピーダンス整合ユニットを介して皮膚のインピーダンス値に変換される。データ適性分析により変換方程式を立てる。最後にその皮膚のインピーダンス値は、変換方程式でインピーダンス値に対応する皮膚の含水量に変換される。ブルートゥースアンテナインピーダンス整合ユニットの機能は、ブルートゥースＭＣＵ制御ユニットとマッチングする役割と、オンボードアンテナ部とマッチングする役割とを担う。これにより、本考案は端末との間で長距離データ転送を確実に行うことができる。
【００１９】
前記高い周波数信号は、４ＫＨｚ±５００ＫＨｚの正弦波信号（例えば、３７００Ｈｚ、３８００Ｈｚ、３９００Ｈｚ、４０００Ｈｚ、４３００Ｈｚ、４４００Ｈｚ）である。
【００２０】
積分増幅器から得られた積分値を検出するために、前記ブルートゥースＭＣＵ制御ユニットの第９ピンは、ＲＣ積分及びダイオード整流ユニットに接続されている。
【００２１】
ＬＥＤランプの状態を制御するために、前記ブルートゥースＭＣＵ制御ユニットの第５ピンはプルアップされて、抵抗Ｒ８及びＬＥＤランプに接続されている。
【００２２】
前記ブルートゥースＭＣＵ制御ユニットの第１５ピンは、４ＫＨｚ±５００Ｈｚ正弦波信号を第１接点Ｓｋｉｎ１に送信する。
【００２３】
前記ブルートゥースＭＣＵ制御ユニットの第３１ピンと第３２ピンとは、ブルートゥースアンテナインピーダンス整合ユニットに接続されている。
【００２４】
前記ブルートゥースアンテナインピーダンス整合ユニットの回路は、第一コイルＬ１、第二コイルＬ２、第三コイルＬ３、第四コイルＬ４、第三容量Ｃ３、第四容量Ｃ４、第五容量Ｃ５、第六容量Ｃ６、第十四容量Ｃ１４、第十六容量Ｃ１６及びアンテナを含む。前記アンテナ、第十六容量Ｃ１６、第十四容量Ｃ１４、第五容量Ｃ５、第一コイルＬ１、第二コイルＬ２、第三容量Ｃ３が順次直列接続された後、接地されている。前記第一コイルＬ１と第五容量Ｃ５との間のリード線は、前記ブルートゥースＭＣＵ制御ユニットの第３２ピンに接続されている。前記第一コイルＬ１と第二コイルＬ２との間のリード線は、前記ブルートゥースＭＣＵ制御ユニットの第３１ピンに接続されている。前記第二コイルＬ２と第三容量Ｃ３との間のリード線は、前記ブルートゥースＭＣＵ制御ユニットの第３０ピンに接続されている。第四容量Ｃ４は、前記第五容量Ｃ５と第十四容量Ｃ１４との間に接続された後、接地されている。第六容量Ｃ６及び第三コイルＬ３は、前記第十四容量Ｃ１４と第十六容量Ｃ１６との間に並列に接続された後、接地されている。第四コイルＬ４が、前記第十六容量Ｃ１６とアンテナとの間に接続された後、接地されている。
【００２５】
前記ブルートゥースＭＣＵ制御ユニットは４８つのピンを含むチップであり、第１ピンが電源ＶＣＣに接続され、且つ第1ピンが第七容量Ｃ７を介して接地され、第７ピンがスイッチに接続され、第１２ピンが電源ＶＣＣに接続され、且つ第１２ピンが第十一容量Ｃ１１を介して接地され、第１３ピンが接地され、第２４ピンが第一抵抗Ｒ１を介して接地され、第２３ピンがＤ点に接続され、第２４ピンがＣ点に接続され、Ｇ点が接地されている。ここで、Ｄ点、Ｃ点及びＧ点は、ＭＣＵのバーニングピン（ｂｕｒｎｉｎｇ  ＰＩＮ）である。第２９ピンが第十容量Ｃ１０を介して接地され、第３３ピンと第３４ピンとが接地され、第３５ピンと第３６ピンとが電源ＶＣＣに接続され、第３５ピンと第３６ピンとが第九容量Ｃ９を介して接地され、第３７ピンが第一容量Ｃ１を介して接地され、第３８ピンが第二容量Ｃ２を介して接地され、水晶発振器Ｙ１が第３７ピンと第３８ピンとの間に接続されている。第３９ピンが第八容量Ｃ８を介して接地されている。
【００２６】
人体肌の水分量測定方法は、上記の人体肌の水分量測定システムを利用して、以下のステップにより、人体肌の水分量を測定する。ステップ一：アプリケーションプログラムは、端末にインストールされる。ステップ二：測定システムのスタートボタンを押し、ブルートゥースＭＣＵ制御ユニットは同報通信を送る。この時点で、端末装置において、端末装置のブルートゥースを起動し、前記同報通信のＳＳＩＤをＡＰＰのインタフェースに選択し、本検出システムにマッチングして接続した後、本測定システムの構成部材の二つの接点を肌の表面に接触させる。ステップ三：ブルートゥースＭＣＵアルゴリズムを使用して測定された肌の水分量の値に対する演算し、演算結果を端末のＡＰＰに送信する。従って、肌の水分量を視覚的に表示することができる。
【００２７】
図１に示すように、図１は本考案における人体肌の水分量測定システムの構成図である。本考案はブルートゥースＭＣＵ制御ユニット、ブルートゥースアンテナインピーダンス整合ユニット、ＲＣ積分及びダイオード整流ユニット、正弦波信号送信ユニットを備える。
【００２８】
前記人体肌の水分量測定システムは、ブルートゥース技術により端末装置（例えば携帯電話、アイパッド（登録商標））に接続し、測定されたデータを端末に送信するための手段である。本システムは皮膚を傷めないことを保証する上で、皮膚の総合栄養水分の百分率を測定し、それにより肌ケア指導を提供するための肌水分測定計である。主な測定される人体肌の個所は手、顔、眼窩及び頚部を含む。まず、アプリケーションプログラム（即ちＭｉＬｉ  ＰｕｒｅＡＰＰ）は、端末にインストールされる。本考案におけるボタンを押した場合、ブルートゥースＭＣＵは同報通信を送る。この時点で、端末装置において端末装置のブルートゥースを起動し、前記同報通信のＳＳＩＤをＡＰＰのインタフェースに選択し、本測定システムにマッチングして接続した後、本測定システムの構成部材の二つの接点を肌の表面に接触させる。
【００２９】
皮膚に接触されている第１接点Ｓｋｉｎ１に高い周波数の信号の方形波を印加する。ここでの高い周波数は、例えば４ＫＨｚ±５００ＫＨｚの正弦波信号である。微弱な電流は、皮膚を通じて、第２接点Ｓｋｉｎ２を通じて本測定システムへ戻る。戻された電流を信号フィルタおよび整形等の処理して、サンプリングして、量子化して、信号量の大きさを得る。その後に得られた信号量の大きさを皮膚のインピーダンス値に変換される。データ適性分析により変換方程式を立てる。最後にその皮膚のインピーダンス値は、変換方程式でインピーダンス値に対応する皮膚の含水量に変換される。ブルートゥースＭＣＵアルゴリズムを使用して測定された肌の水分量の値に対する演算し、演算結果を端末のＡＰＰに送信する。従って、肌の水分量を視覚的に表示することができる。
【００３０】
図３に示すように、図３は本考案におけるブルートゥースＭＣＵ制御ユニットの構成図である。ブルートゥースＭＣＵ制御ユニットの主要な機能はＡＤのサンプリング検出、データ信号の受送信、ロジックの制御及び高い周波数の正弦波信号の送信である。ブルートゥースＭＣＵ制御ユニットの第９ピンは、ＲＣ積分ユニット（図５）に接続され、積分増幅器から得られた積分値を検出する。ＬＥＤランプの状態を制御するために、ブルートゥースＭＣＵ制御ユニットの第５ピンは、プルアップ（ｐｕｌｌ−ｕｐ）されて、抵抗Ｒ８及びＬＥＤランプに接続されている。ブルートゥースＭＣＵ制御ユニットの第１５ピンは、４ＫＨｚの正弦波信号を本考案の構成部材の第１接点Ｓｋｉｎ１に送信する。ブルートゥースＭＣＵ制御ユニットの第３１ピンと３２ピンとは、ブルートゥースアンテナインピーダンス整合ユニットに接続されている。
【００３１】
図４に示すように、図４はこの考案におけるブルートゥースアンテナインピーダンス整合ユニットの構成図である。ブルートゥースアンテナインピーダンス整合ユニットは、主としてブルートゥースＭＣＵとマッチングする役割と、オンボードアンテナ部とマッチングする役割とを担う。これにより、本考案は端末（即ち携帯電話、アイパッド）との間で長距離データ転送を確実に行うことができる。
【００３２】
図５に示すように、図５は本考案における正弦波信号送信ユニットの構成図である。正弦波信号送信ユニットの主要な機能は、ＭＣＵから送信された４ＫＨｚの正弦波信号を本考案の構成部材の第１接点Ｓｋｉｎ１に送信する。
【００３３】
図６に示すように、図６は本考案におけるＲＣ積分及びダイオード整流ユニットの構成図である。第１接点Ｓｋｉｎ１から送信された正弦波信号は、人体の肌を通じて第２接点Ｓｋｉｎ２によりＲＣ積分及びダイオード整流ユニットに戻る。このとき、正弦波信号に変更があった。その後に変更した正弦波信号はＣ１５とＲ８から構成されるＲＣ回路を介して積分、フィルタおよび整形の処理を行い、ダイオードを介して整流を行い、ブルートゥースＭＣＵに戻り、ＡＤ信号サンプリングを行う。それにより信号量の大きさを得る。その後に得られた信号量の大きさを皮膚のインピーダンス値に変換される。データ適性分析により変換方程式を立てる。最後に皮膚のインピーダンス値は、変換方程式でインピーダンス値に対応する皮膚の含水量に変換される。水分値のディジタルを端末に送信する。
【００３４】
以上、本考案の好適な実施の形態について詳細に説明する。上記のように実施形態で説明される構成の全てが本考案の解決手段として必須であるとは限らない。上記のように本実施形態について詳細に説明したが、本考案の新規事項および効果から実体的に逸脱しない多くの変形が可能であることは当業者には容易に理解できるであろう。従って、このような変形例はすべて本考案の範囲に含まれるものとする。
【産業上の利用可能性】
【００３５】
以上詳述したように、本考案に係わる肌の水分量の値測定付き化粧瓶を用いることにより、ユーザは化粧瓶を介して自分の肌の水分量の状況をより直感的に知ることができ、肌に水分をより科学的、合理的に補給することができる。
【符号の説明】
【００３６】
１０１  肌測定部
１０２  キャップ
１０３  肌水分補給部
１０４  第１接点
１０５  第２接点
【図１】
0003203912.tif 000003
【図２】
0003203912.tif 000004
【図３】
0003203912.tif 000005
【図４】
0003203912.tif 000006
【図５】
0003203912.tif 000007
【図６】
0003203912.tif 000008
【図７】
0003203912.tif 000009
【図８】
0003203912.tif 000010
【図９】
0003203912.tif 000011
【図１０】
0003203912.tif 000012